(57)【要約】【課題】本発明は、ユーザの待ち時間を短縮することができる。【解決手段】本発明は、ＩＣカード４の配布の有無によって登録者識別データをカード保持登録者及び無カード登録者の種別に区別することにより２つの第１のグループに分け、これらに対応する第１の照合順位データである２つの照合順位リストＣＬから、ＩＣカード４の配布の有無に応じた照合順位データである照合順位リストＣＬに従って登録者識別データである登録血管画像データと照合者識別データである照合者血管画像データとを照合するようにする。【選択図】図１
2008129798.tif 000002
【特許請求の範囲】
【請求項１】
登録者に固有の登録者識別データと、上記登録者識別データに対する照合対象として入力される照合データとを照合する照合装置であって、
所定の条件により分けられた複数の第１のグループに属する複数の登録者識別データを上記照合データと照合する順位を規定した複数の第１の照合順位データを記憶する記憶部と、
上記複数の第１の照合順位データのうち、上記条件に応じた第１のグループに対応付する第１の照合順位データを選択する選択部と、
選択された上記第１の照合順位データに従って、上記条件に応じた第１のグループに属する複数の上記登録者識別データを上記照合データと照合する照合部と
を具えることを特徴とする照合装置。
【請求項２】
上記照合データを入力する複数のデータ入力装置が第２のグループ単位でネットワークを介して上記照合装置に接続されており、
上記記憶部には、
各第１のグループに属する複数の登録者識別データの全てを上記照合データと照合する順位が規定された第２の照合順位データが、上記複数の第２のグループにそれぞれ対応付けられて記憶されており、
上記選択部は、
上記照合データを入力した上記データ入力装置が属する第２のグループに対応する第２の照合順位データを選択する
ことを特徴とする請求項１に記載の照合装置。
【請求項３】
上記照合データを入力する複数のデータ入力装置が第２のグループ単位でネットワークを介して上記照合装置に接続されており、
上記記憶部には、
上記複数の第１の照合順位データを一つの照合順位グループとして、複数の照合順位グループが各第２のグループに対してそれぞれ対応付けられて記憶されており、
上記選択部は、
上記照合データを入力した上記データ入力装置が属する上記第２のグループに対応する照合順位グループから、上記第１のグループに応じた第１の照合順位データを選択する
ことを特徴とする請求項１に記載の照合装置。
【請求項４】
上記第１のグループは、
上記登録者識別データを特定するための登録特定データを有する記憶媒体の配布の有無を上記条件として分けられており、
上記照合部は、     
上記照合データが入力される際に上記登録特定データが入力された場合には、上記登録特定データによって特定される上記登録者識別データと上記照合データとを照合する一方、上記照合データが入力される際に上記登録特定データが入力されなかった場合には、上記選択部によって選択された第１の照合順位データに従って複数の上記登録者識別データを上記照合データと照合し、
上記選択部は、
上記照合データが入力される際に入力される上記記憶媒体の配布の有無を表す条件データから、上記記憶媒体の配布が無いと判別すると、上記記憶媒体の配布が無い第１のグループに対応する第１の照合順位データを選択する一方、上記登録特定データが入力されなかったにも拘わらず上記条件データから上記記憶媒体の配布が有ると判別すると、上記記憶媒体の配布が有る第１のグループに対応する第１の照合順位データを選択する
ことを特徴とする請求項１に記載の照合装置。
【請求項５】
上記第１のグループは、
上記登録者識別データを特定するための登録特定データを有する記憶媒体の配布の有無を上記条件として分けられており、
上記第２のグループは、
上記データ入力装置が設置された地域によって分けられており、
上記照合部は、     
上記照合データが入力される際に上記登録特定データが入力された場合には、上記登録特定データによって特定される上記登録者識別データと上記照合データとを照合する一方、上記照合データが入力される際に上記登録特定データが入力されなかった場合には、上記選択部によって選択された第１の照合順位データに従って複数の上記登録者識別データを上記照合データと照合し、
上記選択部は、
上記照合データが入力される際に入力される上記記憶媒体の配布の有無を表す条件データから、上記記憶媒体の配布が無いと判別すると、上記照合データを入力した上記データ入力装置が属する上記第２のグループに対応する照合順位グループから、上記記憶媒体の配布が無い第１のグループに対応する第１の照合順位データを選択する一方、上記登録特定データが入力されなかったにも拘わらず上記条件データから上記記憶媒体の配布が有ると判別すると、上記照合データを入力した上記データ入力装置が属する上記第２のグループに対応する照合順位グループから、上記記憶媒体の配布が有る第１のグループに対応する第１の照合順位データを選択する
ことを特徴とする請求項３に記載の照合装置。
【請求項６】
上記照合装置は、
選択された上記照合順位データにおいて、上記照合データと合致した上記登録者識別データの照合する順位を繰り上げる上記照合順位更新部
を具えることを特徴とする請求項１に記載の照合装置。
【請求項７】
上記照合装置は、
選択された上記照合順位データにおいて、上記照合データと合致した上記登録者識別データの照合する順位を繰り上げると共に、上記照合データを入力したデータ入力装置の属する第２のグループを基準となる第２のグループとしたときに、基準となる上記第２のグループに対して密接度の高い第２のグループに対応する照合順位データにおいて、上記照合データと合致した上記登録者識別データの照合する順位を繰り上げることにより、基準となる上記第２のグループに対応する照合順位データと密接度の高い上記グループに対応する照合順位データとを連動して更新する照合順位更新部
を具えることを特徴とする請求項２に記載の照合装置。
【請求項８】
上記照合装置は、
選択された上記照合順位データにおいて、上記照合データと合致した上記登録者識別データの照合する順位を最上位に繰り上げると共に、上記照合データを入力したデータ入力装置の属する第２のグループを基準となる第２のグループとしたときに、基準となる上記第２のグループに対して密接度の高い第２のグループに対応する照合順位データにおいて、上記照合データと合致した上記登録者識別データの照合する順位を最上位に繰り上げることにより、基準となる上記第２のグループに対応する照合順位データと密接度の高い上記グループに対応する照合順位データとを連動して更新する照合順位更新部
を具えることを特徴とする請求項２に記載の照合装置。
【請求項９】
上記照合装置は、
選択された上記照合順位データにおいて、上記照合データと合致した上記登録者識別データの照合する順位を繰り上げると共に、上記照合データを入力したデータ入力装置の属する第２のグループを基準となる第２のグループとしたときに、基準となる上記第２のグループに対して密接度の高い第２のグループに対応する照合順位データにおいて、上記照合データと合致した上記登録者識別データの照合する順位を上記密接度に応じた上昇率で繰り上げることにより、基準となる上記第２のグループに対応する照合順位データと密接度の高い上記第２のグループに対応する照合順位データとを連動させて更新すると共に、上記密接度に応じて連動する幅を変化させる照合順位更新部
を具えることを特徴とする請求項２に記載の照合装置。
【請求項１０】
登録者に固有の登録者識別データと、上記登録者識別データに対する照合対象として入力される照合データとを照合する照合装置であって、
所定の条件により分けられた複数の第１のグループに属する複数の登録者識別データを上記照合データと照合する順位を規定した複数の第１の照合順位データのうち、上記条件に応じた第１のグループに対応する第１の照合順位データを選択する選択ステップと、
選択された上記第１の照合順位データに従って、上記条件に応じた第１のグループに属する複数の上記登録者識別データを上記照合データと照合する照合ステップと
を具えることを特徴とする照合方法。
【請求項１１】
登録者に固有の登録者識別データと、上記登録者識別データに対する照合対象として入力される照合データとを照合する照合装置であって、
所定の条件により分けられた複数の第１のグループに属する複数の登録者識別データを上記照合データと照合する順位を規定した複数の第１の照合順位データのうち、上記条件に応じた第１のグループに対応する第１の照合順位データを選択する選択ステップと、
選択された上記第１の照合順位データに従って、上記条件に応じた第１のグループに属する複数の上記登録者識別データを上記照合データと照合する照合ステップと
を具えることを特徴とする照合プログラム。
【発明の詳細な説明】
【技術分野】
【０００１】
本発明は、照合装置、照合方法及び照合プログラムに関し、例えばバイオメトリクス認証に適用して好適なものである。
【背景技術】
【０００２】
従来、例えば血管や指紋、声紋、口紋等の偽造が非常に困難な生体識別対象から生成された生体識別情報を用いてユーザの認証を行う、いわゆるバイオメトリクス認証によってなりすましを防止する技術が知られている。
【０００３】
このバイオメトリクス認証を用いた照合装置としての認証装置としては、正規のユーザとして登録されるユーザ（以下、これを登録者と呼ぶ）の生体識別情報を登録者識別データとしてデータベースに一括的に登録しておき、認証処理の際、認証を希望するユーザ（以下、これを照合者と呼ぶ）の生体識別情報である照合者血管画像データと、データベースに登録された複数の登録血管画像データとを、照合者血管画像データが一の登録血管画像データと合致するまで照合するようになされたものがある。
【０００４】
ここで、認証装置は、照合者血管画像データを登録血管画像データと照合する場合、照合者血管画像データと対応する登録血管画像データとを照合するまでに、確率論的には登録血管画像データの半数と照合する必要が生じる。従って、登録された登録血管画像データの数が多い場合には、対応する登録血管画像データとの照合がなされるまでに時間がかかってしまう。
【０００５】
そこで、認証処理の際、登録血管画像データを任意の照合順位で照合すると共に、認証された登録者に対応する登録血管画像データの照合順位を最も高い順位にして照合順位を更新することにより、認証される頻度の多い登録者に対応する登録血管画像データの照合順位を上位にして、認証処理の効率を向上させるようになされたものがある（例えば、特許文献１参照）。
【特許文献１】特開２００６−１８６７６公報
【発明の開示】
【発明が解決しようとする課題】
【０００６】
ところで、複数の建物に入退出する人物を一括的に管理するための入退出管理システムでは、建物への入退出の度に頻繁に認証が繰り返され、認証された登録者の照合順位が他の登録者が認証されるたびに低下してしまい、認証された登録者が次回認証されるまでに照合順位が低くなっていく。
【０００７】
従って、登録者の数が多い場合には、認証された登録者に対応する登録血管画像データの照合順位を高いまま維持することが困難であり、殆どのユーザに対しては認証時間に時間を要することになり、認証に要する待ち時間を効果的に短縮することができないという問題があった。
【０００８】
本発明は以上の点を考慮してなされたもので、ユーザの待ち時間を短縮する照合装置、照合方法及び照合プログラムを提案しようとするものである。
【課題を解決するための手段】
【０００９】
かかる課題を解決するため本発明においては、登録者に固有の登録者識別データと、登録者識別データに対する照合対象として入力される照合データとを照合する照合装置であって、所定の条件により分けられた複数の第１のグループに属する複数の登録者識別データを照合データと照合する順位を規定した複数の第１の照合順位データを記憶されており、複数の第１の照合順位データのうち、条件に応じた第１のグループに対応付する第１の照合順位データを選択し、選択された第１の照合順位データに従って、条件に応じた第１のグループに属する複数の登録者識別データを照合データと照合するようにした。
【００１０】
これにより、各第１のグループに属する全ての登録者識別データの数と比較して、各第１の照合順位データに順位が規定される登録者識別データの数を減少させることができるため、照合データと登録者識別データとが合致するまでに照合される登録者識別データの数を減少させて照合処理の効率を向上させることができる。
【発明の効果】
【００１１】
本発明によれば、各第１のグループに属する全ての登録者識別データの数と比較して、各第１の照合順位データに順位が規定される登録者識別データの数を減少させることができるため、照合データと登録者識別データとが合致するまでに照合される登録者識別データの数を減少させて照合処理の効率を向上させることができ、かくしてユーザの待ち時間を短縮する照合装置、照合方法及び照合プログラムを実現できる。
【発明を実施するための最良の形態】
【００１２】
以下、図面について、本発明の一実施の形態を詳述する。
【００１３】
（１）入退出者管理システム
図１において１は、全体として入退出者管理システムを示しており、ＴＫ本社を基点としてＹＨ、ＮＧ及びＯＳに支社を有する企業Ｓで使用されている。入退出者管理システム１では、ＴＫ本社に設置された認証装置２がネットワークＮＴを介して接続された生体情報取得装置３（３Ｔ、３Ｙ、３Ｎ及び３Ｏ）を統括的に制御するようになされている。
【００１４】
生体情報取得装置３は、この企業Ｓが有する各建物ＢＤの入口に設置されており、各建物ＢＤへの入退出を希望する照合者から照合者識別データを取得して認証装置２へ送出する。
【００１５】
認証装置２には、企業Ｓにおける各建物ＢＤへの入退出が認められたユーザ（以下、これを登録者と呼ぶ）を識別するための登録者識別データが登録されており、各建物ＢＤへの入退出を希望し、照合者から取得した照合対象となる照合データが登録者識別データと合致し、照合者が登録者であることを認証したときに、照合者に対して建物ＢＤへの入退出を許可する開錠許可通知を生体情報取得装置３へ送信する。
【００１６】
また、生体情報取得装置３は、認証装置２から開錠許可通知を受信したときのみ入口ドアの鍵を数秒間だけ開錠してユーザに建物ＢＤへの入退出をさせることができるようになされている。
【００１７】
この認証装置２による認証は、ユーザの指の血管を用いたバイオメトリクス認証によって実行される。
【００１８】
すなわち、認証処理の際、生体情報取得装置３は、照合者の指の血管に基づいて照合データとしての照合者血管画像データを生成し、これを認証装置２へ送出する。
【００１９】
認証装置２には、登録者の血管に基づいて生成された登録者識別データである登録血管画像データが登録されている。認証装置２は、この照合者血管画像データと登録血管画像データとを照合し、照合者血管画像データが登録血管画像データと合致した場合には、この照合者を登録者として認証するようになされている。
【００２０】
ここで、この入退出者管理システム１では、記録媒体であるＩＣカード４の配布の有無に応じて登録者をカード保持登録者及び無カード登録者の２つの種別に区別して登録している。
【００２１】
すなわち、入退出者管理システム１では、例えば従業員のように建物ＢＤへの入退出の頻度が高い登録者をカード保持登録者として登録すると共に、登録血管画像データを特定するための登録特定データであるデータＩＤを有する記憶媒体としてのＩＣカード４をカード保持登録者に携帯させるようになされている。
【００２２】
これにより認証装置２は、ＩＣカード４を携帯している照合者（以下、これをカード携帯照合者と呼ぶ）に対しては、ＩＣカード４から取得されたデータＩＤに基づいて登録血管画像データを特定し、照合者血管画像データと特定された登録血管画像データとを照合することにより、速やかに認証処理を実行することができる。
【００２３】
これに対して、入退出者管理システム１では、例えば関係する業者のように建物ＢＤへの入退出の頻度が低い登録者にはＩＣカード４を携帯させないで無カード登録者として登録する。
【００２４】
このため、認証装置２は、無カード登録者として入退出を希望する照合者（以下、これを無カード照合者と呼ぶ）に対しては、データＩＤを取得することができず、登録血管画像データを特定することができないため、照合者血管画像データと登録血管画像データとが合致するまで任意の照合順位で照合者血管画像データと登録血管画像データとを照合する。
【００２５】
また、カード保持登録者であるにも拘らず忘れたなどの理由でＩＣカード４を携帯していない照合者（以下、これをカード非携帯照合者と呼ぶ）に対しても同様に、データＩＤを取得することができず、登録血管画像データを特定することができないため、照合者血管画像データと登録血管画像データとが合致するまで任意の照合順位で照合者血管画像データと登録血管画像データとを照合する。
【００２６】
このとき認証装置２は、カード保持登録者に対応する登録血管画像データを無カード登録者より先に照合するように照合順位を定めていた場合には、無カード照合者に対する認証処理に要する時間が増大してしまい、逆に無カード登録者に対応する登録血管画像データをカード保持登録者より先に照合するように照合順位を定めていた場合には、非携帯照合者に対する認証処理に要する時間が増大してしまうことになる。
【００２７】
そこで本実施の形態の認証装置２においては、ＩＣカード４の配布の有無に応じて登録血管画像データを複数のグループに分け、当該グループごとに設定された照合順位に従って認証処理を実行するようにした。次に、かかる認証処理について説明する。
【００２８】
（２）認証装置の具体的な処理内容
生体情報取得装置３は、図２に示すように、ＣＰＵ(Central Processing Unit)と、各種プログラムが格納されるＲＯＭ(Read Only Memory)と、当該ＣＰＵのワークメモリとしてのＲＡＭ(Random Access Memory)とからなる制御部１０によって全体を統括制御し、バス１１を介して接続された各部を制御する。
【００２９】
制御部１０は、入退出を希望する照合者の指がセンサ部１２に載置されると、当該センサ部１２によって当該指を撮像し、当該指を表す画像信号を取得する。さらに制御部１０は、撮像された画像信号にエッジ処理、平滑化処理、２値化処理及び細線化処理を順次施すことにより、画像信号に含まれる血管の形成パターンを抽出し、照合者の生体識別情報である照合者血管画像データを生成する。
【００３０】
ここで、上述したように、入退出者管理システム１では、カード携帯照合者と、非携帯照合者と、無カード照合者とが生体情報取得装置３を介して認証装置２による認証を要求することが想定されている。
【００３１】
従って照合者血管画像データを生成すると、制御部１０は、照合者に対して例えば「カードをかざしてください、カードを忘れた方は非携帯ボタンを押してください」などのアナウンスをスピーカ１４から出力し、所定の待受時間に渡ってカード読出部１５にＩＣカード４がかざされる、若しくは非携帯ボタン１６が押加されるのを待ち受ける。
【００３２】
これにより、制御部１０は、カード携帯照合者に対しては待受時間内にＩＣカード４をカード読出部１５にかざさせ、一方で非携帯照合者に対しては待受時間内に非携帯ボタン１６を押加させ、他方で無カード照合者に対しては待受時間に渡って待機させる。
【００３３】
制御部１０は、待受時間が経過するまでの間に、ＩＣカード４がかざされ、当該ＩＣカード４からデータＩＤを取得できた場合には、外部インターフェース１７を介して照合者血管画像データと、データＩＤと、照合者が直接アクセスした生体情報取得装置３を表す機器ＩＤとを認証装置２へ送出する。
【００３４】
一方、制御部１０は、待受時間が経過するまでの間に非携帯ボタン１６が押加された場合には、照合者が非携帯照合者であることを表す非携帯照合者通知と照合者血管画像データと機器ＩＤとを外部インターフェース１７を介して認証装置２へ送出する。
【００３５】
他方、制御部１０は、待受時間が経過するまでの間に、ＩＣカード４がかざされることなく、さらに非携帯ボタン１６も押加されなかった場合、外部インターフェース１７を介して照合者血管画像データと機器ＩＤとを認証装置２へ送出する。
【００３６】
認証装置２は、図３に示すように、ＣＰＵ(Central Processing Unit)と、認証プログラムなどの各種プログラムが格納されるＲＯＭ(Read Only Memory)と、当該ＣＰＵのワークメモリとしてのＲＡＭ(Random Access Memory)とからなる制御部２０によって全体を統括制御し、バス２１を介して接続された各部を制御する。
【００３７】
また、記憶部２２には、登録血管画像データがデータＩＤに関連付けられて記憶されている。すなわち図４に示すように、記憶部２２にはデータＩＤと、当該データＩＤに対応する登録血管画像データが登録された登録者情報管理データベースＤＢが記憶されている。
【００３８】
なお、この登録者情報管理データベースＤＢでは、データＩＤの先頭にＡ又はＢを付加することによって、ＩＣカード４の配布の有無に応じて登録者（カード保持登録者又は無カード登録者）を２つの種別に区別している。
【００３９】
また、図５に示すように、記憶部２２には、生体情報取得装置３の機器ＩＤと地域グループ名とが対応付けられた地域グループ管理リストＧＬが記憶されている。これにより、認証装置２は、生体情報取得装置３が存在する地域ごとに、当該生体情報取得装置３を４つの地域グループ（ＴＫ本社、ＹＨ支社、ＮＧ支社及びＯＳ支社）にグループ分けしている。
【００４０】
さらに、図６に示すように、記憶部２２には、照合順位リストＣＬとして、４つの非携帯照合順位リストＣＬＡ（ＣＬＡｔ、ＣＬＡｙ、ＣＬＡｎ及びＣＬＡｏ）及び４つの無カード照合順位リストＣＬＢ（ＣＬＢｔ、ＣＬＢｙ、ＣＬＢｎ及びＣＬＢｏ）が記憶されている。
【００４１】
各照合順位リストＣＬには、照合される登録血管画像データに対応するデータＩＤが照合順位に従って昇順で示されている。また、登録血管画像データがＩＣカード４の配布の有無に応じたグループに分けられており、カード保持登録者に対応する非携帯照合者順位リストＣＬＡにはカード保持登録者のみが登録されている一方、カード無登録者に対応する無カード照合順位リストＣＬＢには無カード登録者のみが登録されている。
【００４２】
また、一対の非携帯照合者順位リストＣＬＡ及び無カード照合順位リストＣＬＢを一つの照合順位グループＧＳとしてグループ化されると共に、当該照合順位グループＧＳが各地域グループにそれぞれ対応付けられている。
【００４３】
本実施の形態においては、制御部２０は、生体情報取得装置３から照合者血管画像データを取得する際に、照合者の状況を表す照合者状況情報としてデータＩＤや非携帯照合者通知、機器ＩＤを取得すると共に、これらの照合者状況情報を用いてＩＣカード４の配布の有無及び照合者血管画像データの入力された生体情報取得装置３の属する地域グループを判別する。
【００４４】
すなわち、制御部２０は、データＩＤの有無からＩＣカード４を携帯しているか否かを判別し、生体情報取得装置３を介して認証装置２に接続した照合者が照合順位リストＣＬに対応しないカード携帯照合者、又は照合順位リストＣＬに対応するＩＣカード４を携帯していない照合者のいずれであるかを判別する。
【００４５】
さらに、制御部２０は、非携帯照合者通知の有無から非携帯ボタン１６を押加したか否かを判別し、ＩＣカード４を携帯していない照合者が、カード保持登録者として登録されており、非携帯照合順位リストＣＬＡに対応する非携帯照合者であるか、又はカード無登録者として登録されており、無カード照合順位リストＣＬＢに対応する無カード照合者のいずれであるかを判別する。
【００４６】
この結果、制御部２０は、照合者を照合順位リストＣＬに対応しないカード携帯照合者と、照合順位リストＣＬに対応する非携帯照合者及び無カード照合者の合計３つのタイプに分ける。
【００４７】
照合者が照合順位リストＣＬに対応する非携帯照合者及び無カード照合者のいずれかであると判別した場合、制御部２０は、機器ＩＤから、４つの地域グループ（ＴＫ本社、ＹＨ支社、ＮＧ支社及びＯＳ支社）のいずれの地域グループに属する生体情報取得装置３が照合者血管画像データを入力したかを判別する。
【００４８】
さらに制御部２０は、判別された地域グループに対応する照合順位グループＧＳから、非携帯照合者又は無カード照合者に対応する一の照合順位リストＣＬを選択する。
【００４９】
そして制御部２０は、ＩＣカードを携帯しているカード携帯照合者に対しては、データＩＤを用いて登録血管画像データを特定して照合処理を実行する一方、非携帯照合者及び無カード照合者に対しては、照合者血管画像データが入力された生体情報取得装置３が属する地域グループに対応する照合順位グループＧＳからＩＣカード４の配布の有無に応じた照合順位リストＣＬを選択すると共に、選択された当該照合順位リストＣＬに従って照合処理を実行するようになされている。
【００５０】
具体的に制御部２０は、外部インターフェース２３を介して生体情報取得装置３から照合者血管画像データを受信した際、照合者血管画像データと共にデータＩＤを取得した場合には、照合者がカード携帯照合者であると判別し、登録者情報データベースＤＢに基づいてデータＩＤから登録血管画像データを特定し、照合部２４によって照合処理を実行する。
【００５１】
すなわち照合部２４は、登録血管画像データと照合者血管画像データとを照合してこれらの一致率を表す相関値を算出し、当該相関値が所定の閾値以上であった場合には、登録血管画像データと照合者血管画像データとが合致したと判断し、合致通知を制御部１０に送出する。
【００５２】
これに対して登録血管画像データと照合者血管画像データとの相関値が所定の閾値未満であった場合、照合部２４は、登録血管画像データと照合者血管画像データとが合致しないと判断し、非合致通知を制御部２０に送出する。
【００５３】
制御部２０は、照合部２４から合致通知を受信した場合には、照合者がこの登録血管画像データに対応する登録者であると認証する。
【００５４】
これに対して、制御部２０は、照合部２４から非合致通知を受信した場合には、照合者が登録者でないと判定する。
【００５５】
一方、制御部２０は、生体情報取得装置３から照合者血管画像データを受信した際、照合者血管画像データと共に非携帯照合者通知を取得した場合には、照合者がカード保持登録者であるにも拘らずＩＣカード４を携帯していない非携帯照合者であると判別する一方、照合者血管画像データのみを取得した場合には、照合者が無カード照合者であると判別する。
【００５６】
制御部２０は、記憶部２２から地域グループ管理リストＧＬを読み出し、照合者血管画像データと共に受信した機器ＩＤを用いて、当該照合者血管画像データを入力した生体情報取得装置３が属する地域グループを判別し、判別された当該地域グループに対応する照合順位グループＧＳを選択する。
【００５７】
さらに制御部２０は、非携帯照合者に対しては、選択された照合順位グループＧＳから非携帯照合順位リストＣＬＡを選択し、無カード照合者に対しては、選択された照合順位グループＧＳから無カード照合順位リストＣＬＢを選択する。
【００５８】
制御部２０は、選択された照合順位リストＣＬの最も高い（すなわち照合順位が１位）のデータＩＤに対応する登録者血管画像データについて、カード携帯照合者のときと同様に照合部２４によって照合処理を実行する。
【００５９】
制御部２０は、照合部２４から合致通知を受信した場合には、照合者がこの登録血管画像データに対応する登録者であると認証する。
【００６０】
これに対して、照合部２４から非合致通知を受信した場合、制御部２０は、照合者がこの登録血管画像データに対応する登録者でないと判別する。
【００６１】
このとき制御部２０は、選択された照合順位リストＣＬに従って次の照合順位の登録血管画像データについて順次照合処理を実行する。このとき制御部２０は、照合者血管画像データと登録血管画像データとが合致した場合には、照合者を合致した登録血管画像データに対応する登録者として認証する。
【００６２】
一方、制御部２０は、全ての登録血管画像データについての照合処理が完了するまで照合部２４による照合処理を継続し、全ての登録血管画像データについての照合処理が完了したにも拘わらず、いずれの登録血管画像データについても合致通知を受信しなかった場合には、照合者が登録者ではないと判定する。
【００６３】
そして制御部２０は、照合者が登録者であると認証した場合には、外部インターフェース２３を介して照合者の入退出を許可する開錠許可通知を生体情報取得装置３に送出する一方、照合者が登録者でないと判定した場合には、外部インターフェース２３を介して、機器ＩＤに対応する生体情報取得装置３に認証エラー通知を送出すると共に、後述する照合順位リスト更新処理を実行し、処理を終了する。
【００６４】
生体情報取得装置３の制御部１０は、外部インターフェース１７を介して開錠許可通知を取得した場合、建物ＢＤ（図１）の入口ドアを数秒間に渡って開錠し、照合者を入退出させると、再び入口ドアを施錠し、処理を終了する。
【００６５】
これに対して生体情報取得装置３の制御部１０は、外部インターフェース１７を介して認証エラー通知を取得した場合、照合者に対し、スピーカ１４を介して例えば「認証されませんでした」とアナウンスすることにより、認証が失敗したことを通知し、処理を終了する。
【００６６】
このように、入退出管理システム１では、ＩＣカード４の配布の有無に応じて登録血管画像データをカード保持登録者として登録されているグループと、カード無登録者として登録されているグループとの２つに分け、それぞれのグループに属する登録血管画像データを２つの照合順位リストＣＬに分けて登録するようにした。これにより、一つの照合順位リストＣＬに登録される登録血管画像データの数をカード保持登録者及びカード無登録者として登録されている登録血管画像データの総数より減少させることができ、照合対象となる登録者血管画像データの数を減少させることができる。
【００６７】
また、非携帯照合者及び無カード照合者のそれぞれに対応する照合順位リストＣＬを用いることにより、非携帯照合者及び無カード照合者のいずれに対しても、対応する適切な照合順位に従って速やかに認証処理を実行することができ、認証処理の効率を向上させることができる。
【００６８】
さらに、入退出管理システム１では、ＩＣカード４を有するカード保持登録者に対応する非携帯照合順位リストＣＬＡを有し、生体情報取得装置３からデータＩＤが入力されなかったときに当該非携帯照合順位リストＣＬＡに従って照合処理を実行するようにしたため、カード保持登録者がＩＣカード４を忘れた場合であっても、当該カード保持登録者（すなわち非携帯照合者）を迅速に認証することができる。
【００６９】
また、生体情報取得装置３を地域ごとにグループ分けし、照合者血管画像データを入力した生体情報取得装置３が属する地域グループに対応する照合順位リストＣＬに従って照合処理を実行するようにしたことにより、各地域グループに対応する適切な照合順位に従って速やかに認証処理を実行することができる。
【００７０】
このとき、各地域グループに対応する照合順位リストＣＬとして、カード保持登録者及びカード無登録者の全てを一つの照合順位グループとして登録するようにしたため、各地域グループのいずれの生体情報取得装置３を介しても全ての登録者に認証を受けさせることができると共に、各地域グループにおける認証の頻度に応じた効率良い認証処理が可能となる。
【００７１】
（３）照合順位リスト更新処理
次に、認証装置２が照合者を登録者であると認証したときに実行する照合順位リスト更新処理について説明する。
【００７２】
このような複数の地域グループにおいて統括的に使用される入退出管理システム１では、ユーザが特定の地域グループの建物ＢＤに頻繁に入退出することが多いと想定されると共に、この特定の地域グループに対して例えば近距離に存在するため密接度が高いような他の地域グループの建物ＢＤへも入退出を行う可能性高いと考えられる。
【００７３】
そこで、本実施の形態では、認証処理の際、登録者が実際に入退出を行った基準となる地域グループ（以下、これを基準地域グループと呼ぶ）に対して近い距離に存在する地域グループ（以下、これを近距離地域グループと呼ぶ）についても連動させて、対応する照合順位リストＣＬを同時に更新するようにする。
【００７４】
認証装置２の記憶部２２には、図７に示すように、地域グループ間の距離を表す距離リストＬＬが記憶されている。この距離リストＬＬには、左側に記載された基準地域グループに対する各地域グループまでの距離が登録されている。
【００７５】
制御部２０は、基準地域グループに対し、所定の距離閾値以下（すなわち近距離）にある地域グループを密接度が高く、連動させて照合順位リストＣＬを更新する対象となる近距離地域グループとして認識する。なお、図７では、距離閾値を３５０［ｋｍ］に設定しており、近距離地域グループを斜線で示している。
【００７６】
制御部２０が一の地域グループにおける生体情報取得装置３を介して照合者を認証すると、照合順位更新部２５（図３）は、照合処理に用いられた照合順位リストＣＬ（すなわち、照合者血管画像データを入力した生体情報取得装置３が属する地域グループに対応する照合順位リストＣＬから、カードＩＣ４の配布の有無を表す非携帯照合者通知に基づいて選択された照合順位リストＣＬ）における認証された照合者に対応する登録血管画像データの照合順位を１位とし、他の登録者の照合順位を１位ずつ繰り下げて照合順位リストＣＬを更新する。
【００７７】
これにより照合順位更新部２５は、この基準地域グループにおいて認証される頻度の高い登録者を照合順位リストＣＬの上位に位置させることができ、認証の頻度の高い登録者に対する照合処理の時間を短縮して処理効率を向上することができる。
【００７８】
さらに照合順位更新部２５は、基準地域グループにおける認証された結果を近距離グループに連動させる。すなわち、照合順位更新部２５は、近距離グループに対応する照合順位グループＧＳから、ＩＣカード４の配布の有無を表す非携帯照合者通知に基づいて照合順位リストＣＬを選択し、当該照合順位リストＣＬについても同様に照合順位リストＣＬを更新する。
【００７９】
これにより制御部２０は、基準地域グループにおける認証を当該近距離グループに連動させ、当該近距離グループに対応する照合順位リストＣＬにも反映させるため、基準地域グループで認証された登録者が近距離グループで認証されるときの処理時間を短縮して認証処理の効率を向上させることができる。
【００８０】
例えば制御部２０は、図８に示すように、ＮＧ支社における生体情報取得装置３Ｎを介し、無カード登録者として照合者を認証すると、ＮＧ支社を基準地域グループとするとＹＨ支社及びＯＳ支社が近距離地域グループとなるため、ＮＧ支社に対応する無カード照合順位リストＣＬＢｎを更新すると共に、ＹＨ支社及びＯＳ支社に対応する無カード照合順位リストＣＬＢｙ及びＣＬＮｏに対応する無カード照合順位リストＣＬＢｎを更新することにより、ＮＧ支社並びにＹＨ支社及びＯＳ支社の対応する照合順位リストＣＬを連動させる。
【００８１】
なお、この照合順位リスト更新処理は照合者が照合順位リストＣＬに対応する非携帯照合者及び無カード照合者である場合について実行され、照合順位リストＣＬに対応しないカード携帯照合者については実行されないようになされている。
【００８２】
すなわち、制御部２０は、カード携帯照合者を登録者として認証したときには、カード保持登録者が登録される非携帯照合順位リストＣＬＡに対してカード携帯照合者の認証の頻度を反映させない。
【００８３】
これにより、非携帯照合順位リストＣＬＡにおいて、ＩＣカード４を非携帯することが多い登録者の照合順位を選択的に高くする一方、認証の頻度は高くてもＩＣカード４を常に携帯する登録者の照合順位を低いままに維持することができるため、ＩＣカード４を忘れることが多いため、非携帯照合者として認証処理を受ける頻度の多いカード保持登録者に対する認証処理に要する時間を短縮して処理効率を向上させることができる。
【００８４】
（４）認証処理の手順
（４−１）生体情報取得装置による認証仲介処理の手順
次に、上述した認証処理のうち、生体情報取得装置３による処理部分に対応する認証仲介処理手順について、図９に示すフローチャートを用いて説明する。
【００８５】
生体情報取得装置３の制御部１０は、センサ部１２に照合者の指が載置されると、認証仲介処理手順ＲＴ１を開始し、ステップＳＰ１において、ユーザの生体識別情報である照合者血管画像データを取得すると、次のステップＳＰ２へ移る。
【００８６】
ステップＳＰ２において、制御部１０は、所定の待受時間だけ待ち受けると、次のステップＳＰ３へ移る。
【００８７】
ステップＳＰ３において、制御部１０は、ステップＳＰ２の待受時間の間にＩＣカード４がかざされたことにより、データＩＤを取得したか否かを判別し、データＩＤを取得した場合には、次のステップＳＰ５へ移り、データＩＤと照合者血管画像データと機器ＩＤとを認証装置２へ送出し、次のステップＳＰ１０へ移る。
【００８８】
これに対して、ステップＳＰ３においてデータＩＤを取得しなかった場合、制御部１０は、次のステップＳＰ７へ移り、ステップＳＰ２の待受時間の間に非携帯ボタン１６が押加されたか否かを判別する。
【００８９】
ここで、非携帯ボタン１６が押加されていた場合には、制御部１０は、次のステップＳＰ８へ移り、非携帯照合者通知と照合者血管画像データと機器ＩＤとを認証装置２へ送出し、次のステップＳＰ１０へ移る。
【００９０】
これに対して、ステップＳＰ７において非携帯ボタン１６が押加されていなかった場合、制御部１０は、次のステップＳＰ９へ移り、照合者血管画像データと機器ＩＤとを認証装置２へ送出し、次のステップＳＰ１０へ移る。
【００９１】
ステップＳＰ１０において、制御部１０は、認証装置２から照合結果を待ち受け、照合結果を受信すると、次のステップＳＰ１１へ移る。
【００９２】
ステップＳＰ１１において、制御部１０は、照合結果として開錠許可通知を受信したか否かについて判別する。
【００９３】
ここで開錠許可通知を受信した場合、このことは照合者が登録者として認証され、入退出を許可されたことを表しており、このとき制御部１０は、次のステップＳＰ１２へ移り、建物ＢＤの入口ドアを数秒間だけ開錠し、次のステップＳＰ１４へ移って処理を終了する。
【００９４】
これに対してステップＳＰ１１において開錠許可通知を受信していない場合、このことは照合結果として認証エラー通知を受信しており、照合者が登録者として認証されなかったことを表しており、このとき制御部１０は、次のステップＳＰ１３へ移り、照合者に対して認証が失敗した旨を通知し、次のステップＳＰ１４へ移って処理を終了する。
【００９５】
（４−２）認証装置による認証処理の手順
次に、上述した認証処理のうち、認証プログラムに従って認証装置２により実行される処理部分となる認証処理手順について、図１０に示すフローチャートを用いて説明する。
【００９６】
認証装置２の制御部２０は、認証処理手順ＲＴ２を開始し、ステップＳＰ２１において生体情報取得装置３から照合者血管画像データを取得すると、次のステップＳＰ２２へ移る。
【００９７】
ステップＳＰ２２において、制御部２０は、照合者血管画像データと共にデータＩＤを取得したか否かについて判別する。
【００９８】
ここで、データＩＤを取得した場合、このことは照合者がカード携帯照合者であるという状況を表しており、このとき制御部２０は、次のステップＳＰ２３へ移り、データＩＤに対応する登録血管画像データを選択して照合処理を実行し、次のステップＳＰ３１へ移る。
【００９９】
これに対してステップＳＰ２２においてデータＩＤを取得しなかった場合、制御部２０は、次のステップＳＰ２５へ移り、ステップＳＰ２２において照合者血管画像データと共に非携帯照合者通知を受信していたか否かについて判別する。
【０１００】
ここで、非携帯照合者通知を受信していた場合、このことは照合者がカード保持登録者であるにも拘わらずＩＣカード４を携帯していない非携帯照合者であるという状況を表しており、このとき制御部２０は、次のステップＳＰ２６へ移る。
【０１０１】
ステップＳＰ２６において、制御部２０は、機器ＩＤから照合者がどの地域グループに属する生体情報取得装置３に対してアクセスしたかという状況に応じて、当該地域グループに対応する照合順位グループＧＳから非携帯照合順位リストＣＬＡを選択し、当該非携帯照合順位リストＣＬＡに従って、登録血管画像データが照合者血管画像データと合致するまで、若しくは全ての登録血管画像データと照合するまで、照合処理を順次実行し、次のステップＳＰ２８へ移る。
【０１０２】
これに対して、ステップＳＰ２５において非携帯照合者通知を受信していなかった場合、このことは照合者が初めからＩＣカード４を有さない無カード照合者であるという状況を表しており、このとき制御部２０は、次のステップＳＰ２７へ移る。
【０１０３】
ステップＳＰ２７において、制御部２０は、機器ＩＤから照合者がどの地域グループに属する生体情報取得装置３に対してアクセスしたかという状況に応じて、当該地域グループに対応する照合順位グループＧＳから無カード照合順位リストＣＬＢを選択し、当該無カード照合順位リストＣＬＢに従って、登録血管画像データが照合者血管画像データと合致するまで、若しくは全ての登録血管画像データと照合するまで、照合処理を順次実行し、次のステップＳＰ２８へ移る。
【０１０４】
ステップＳＰ２８において、制御部２０は、ステップＳＰ２６及びステップＳＰ２７において登録血管画像データが照合者血管画像データと合致したことにより、認証が成立したか否かについて判別し、認証が成立したと判別した場合には、次のステップＳＰ２９へ移り、照合処理に使用された照合順位リストＣＬにおける照合順位を更新し、次のステップＳＰ３０に移る。
【０１０５】
ステップＳＰ３０において、制御部２０は、機器ＩＤが表す生体情報取得装置３が属する地域グループを基準地域グループとしたときの近距離地域グループに対応する照合順位グループＧＳから、ＩＣカード４の配布の有無に応じた照合順位リストＣＬを選択すると共に、選択された照合順位リストＣＬにおける照合順位を更新し、次のステップＳＰ３１へ移る。
【０１０６】
ステップＳＰ３１において、制御部２０は、認証が成立した場合には開錠許可通知を、認証が成立しなかった場合には認証エラー通知を照合結果として生体情報取得装置３に送出し、次のステップＳＰ３２へ移って処理を終了する。
【０１０７】
（５）動作及び効果
以上の構成において、入退出管理システム１の認証装置２は、ＩＣカード４の配布の有無に応じて区別されたカード保持登録者又は無カード登録者にそれぞれ対応させて２つの第１のグループに分け、第１の照合順位データである２つの照合順位リストＣＬ（非携帯照合順位リストＣＬＡ及び無カード照合順位リストＣＬＢ）にカード保持登録者又は無カード登録者のみをそれぞれ登録した。そして認証装置２は、ＩＣカード４の有無を表す非携帯照合者通知に基づいてＩＣカード４の配布の有無を判別し、この判別に応じて照合順位リストＣＬを選択すると共に、選択された当該照合順位リストＣＬに従って登録者識別データである登録血管画像データと照合者識別データである照合者血管画像データとを照合するようにした。
【０１０８】
これにより、認証装置２は、一つの照合順位リストＣＬに登録される登録血管画像データの数を、非携帯照合順位リストＣＬＡ及び無カード照合順位リストＣＬＢに登録された全ての登録血管画像データの数よりも減少させて、認証処理における照合対象の絶対数を減少させることができるため、照合者血管画像データを合致する登録血管画像データと照合するまでに照合する登録血管画像データの数を確率的に減少させて認証処理に要する時間を減少させることができる。
【０１０９】
また、認証装置２は、複数のデータ入力装置である生体情報取得装置３がネットワークＮＴを介して第２のグループである地域グループごとに接続されており、一対の非携帯照合順位リストＣＬＡ及び無カード照合順位リストＣＬＢを一の照合順位グループＧＳとして、上記地域グループごとに記憶する。そして認証装置２は、照合者血管画像データが入力された生体情報取得装置３が属する当該地域グループに対応する照合順位グループＧＳから、非携帯照合者通知の有無に応じて選択された照合順位リストＣＬに従って登録血管画像データと照合者血管画像データとを照合するようにした。
【０１１０】
これにより、認証装置２は、各照合順位グループＧＳに全ての登録者が登録されているため、照合者が全ての地域グループにアクセスできる状態を維持したまま、各地域グループごとの適切な照合順位で照合処理を実行することができ、認証処理の効率を向上することができる。
【０１１１】
また、認証装置２は、ＩＣカード４の配布の有無及び照合者血管画像データを入力した生体情報取得装置３が属する地域グループの２つに応じて照合順位リストＣＬを選択することができるため、一方のみに対応する照合順位リストＣＬを選択する場合と比較して、照合者の状況に一段ときめ細かく対応する照合順位リストＣＬに従って効率よく照合処理を実行することができる。
【０１１２】
さらに、認証装置２は、非携帯照合者通知及び機器ＩＤの２つの照合者状況情報を用いて、登録の種別及び照合者がアクセスした生体情報取得装置３の属する地域グループの２つの観点から照合者の状況を一段と詳細に分け、照合者の詳細な状況に応じた照合順位で効率よく認証処理を実行できる。
【０１１３】
以上の構成によれば、照合者の状況に応じて登録者識別データを複数のグループにグループ分けすると共に、当該グループに対応する照合順位で照合者血管画像データと登録血管画像データとを照合するため、各グループの状況に応じた適切な照合順位で照合処理を実行して認証処理の効率を向上させることができ、かくしてユーザの待ち時間を短縮する照合装置、照合方法及び照合プログラムを実現することができる。
【０１１４】
（６）他の実施の形態
なお上述の実施の形態においては、距離に応じて照合順位リストＣＬを単に連動させて更新処理を実行するようにした場合について述べたが、本発明はこれに限らず、連動させるだけでなく、その際に距離に応じて連動幅を変化させるようにしても良い。
【０１１５】
この場合、例えば図１１（Ａ）に示すように、認証装置２の記憶部２２に記憶されている照合順位リストＣＬには、照合順位及びデータＩＤに加え、登録者が認証される頻度を表す認証頻度値が登録されており、この認証頻度値の高い順に照合順位が決定されるようになされている。
【０１１６】
照合順位更新部２５は、照合順位リスト更新処理の際、認証された照合者の照合順位を直接変化させるのではなく、この認証頻度値に頻度上昇値を加算し、加算された認証頻度値に応じて照合順位を並べ替えることにより、照合順位リストＣＬを更新する。
【０１１７】
ここで図１１（Ｂ）に示すように、この頻度上昇値は距離に応じて変化し、記憶部２２に記憶された頻度上昇値リストＵＬに従い決定される。この頻度上昇値リストＵＬでは、認証された照合者が直接アクセスしたことにより、認証装置２に照合者血管画像データを入力した生体情報取得装置３が属する地域グループを基準地域グループ（左欄）としたときに、各地域グループの認証頻度値に加算される頻度上昇値を表している。
【０１１８】
この頻度上昇値は、図７（Ａ）に示した各地域グループ間の距離に基づき、図１１（Ｃ）に示す第１〜第５の閾値が設定されることにより決定されており、地域グループ間の距離が近く地域グループ間の密接度が高いと大きい上昇率となり、密接度が低いと小さい上昇率となっている。
【０１１９】
従って、例えばＮＧ支社における生体情報取得装置３を介して無カード照合者を登録者として認証した場合、照合順位更新部２５はＮＧ支社の無カード照合順位リストＣＬＢｎの認証頻度値には「５」加算すると共に、ＹＨ支社及びＯＳ支社の無カード照合順位リストＣＬＢｙ及びＣＬＢｏの認証頻度値にはそれぞれ「１」及び「２」加算し、加算された後の認証頻度値の昇順で照合順位リストＣＬＢの並べ替えをそれぞれ実行することにより、照合順位リスト更新処理を実行する。
【０１２０】
これにより、密接度に応じて照合順位リストＣＬを連動させて同時更新するだけでなく、地域グループ間の密接度（すなわち一の地域グループで認証された照合者が他の地域グループを往来する可能性の高さ）に応じて連動幅を変化させる。すなわち加算される頻度加算値を密接度に応じて変化させることにより、基準地域グループにおける認証の頻度を部分的に近距離グループに反映させることができ、密接度をその度合いに応じて適切に照合順位リストＣＬに反映させることができる。
【０１２１】
このように認証装置２は、照合者を登録者として認証すると、照合者血管画像データを入力した生体情報取得装置３がどの地域グループに属するかという状況に応じて基準地域グループに対応する照合順位リストＣＬに登録された認証頻度値を上昇させると共に、基準地域グループと密接度の高い近距離グループに対応する認証頻度値をも上昇させることにより、基準地域グループに対応する照合順位リストＣＬと近距離地域グループに対応する照合順位リストＣＬとを連動させる。
【０１２２】
このとき認証装置２は、近距離地域グループに対応する照合順位リストＣＬを基準地域グループの照合順位リストＣＬに完全に連動させるのではなく、基準地域グループに対する密接度に応じた上昇率でなる頻度上昇値を近距離グループに対応する照合順位リストＣＬに加算することにより、基準地域グループの認証の頻度を近距離グループに対応する照合順位リストＣＬに部分的に反映させると共に、反映させる割合を表す連動幅を密接度に応じて変化させるようにした。
【０１２３】
これにより、近距離地域グループへの密接度を一段と的確に照合順位に反映させて、照合者となる可能性の高い登録者の照合順位を上昇させることができ、認証処理の効率を向上することができる。
【０１２４】
なお、この認証頻度値は、例えば期間を限定して集計した値としても良く、単に累積値としても良い。ここで、認証頻度値の集計期間を例えば６ヶ月のように限定することにより、最近の認証の頻度を一段と強く照合順位に反映させることができる。また、人事異動の多いシーズンの度にこの認証頻度値をリセットするようにするのも効果的である。
【０１２５】
また、認証頻度値を設けるのではなく、認証された照合者に対応する登録血管画像データの照合順位を上昇させるようにしても良い。例えば上述した頻度上昇値をそのまま繰り上げる順位の数として用いて、ＮＧ支社における生体情報取得装置３を介して無カード照合者を登録者として認証した場合、基準地域グループに対応する無カード照合順位リストＣＬＢｎにおいて、認証された照合者に対応する登録血管画像データの照合順位を「５」位だけ繰り上げ、さらにＹＨ支社及びＯＳ支社の無カード照合順位リストＣＬＢｙ及びＣＬＢｏにおける登録血管画像データの照合順位をそれぞれ「１」位及び「２」位だけ繰り上げるようにする。
【０１２６】
また上述の実施の形態においては、距離に応じた密接度を用いるようにした場合について述べたが、本発明はこれに限らず、例えば実際の登録者の往来を集計して密接度を決定したり、業務内容の共通性など地域グループ間の結びつきの強さによって密接度を決定するようにしても良い。
【０１２７】
さらに上述の実施の形態においては、センサ部１２にユーザの指が載置されると所定時間だけ待受け、ＩＣカード４がかざされる若しくは非携帯ボタンが押加されるか否かによってユーザがカード携帯照合者、非携帯照合者又は無カード照合者のいずれであるかを判別するようにした場合について述べたが、本発明はこれに限らず、センサ部１２にユーザの指が載置される前に、ＩＣカード４がかざされる若しくは非携帯ボタンが押加されるか否かによって、ユーザがカード携帯照合者、非携帯照合者又は無カード照合者のいずれであるかを判別するようにしても良い。
【０１２８】
これにより、センサ部１２にユーザの指が載置された時点で直ぐにユーザの種別を判別できるため、直ぐに照合処理を開始することができ、生体情報取得装置３の制御部１０が所定時間だけ待受ける時間が不要となる。この結果、ユーザが指を載置してから認証を受けるまでのトータル時間を短縮することができる。
【０１２９】
さらに上述の実施の形態においては、カード携帯照合者が認証された場合には照合順位リスト更新処理を実行しないようにした場合について述べたが、本発明はこれに限らず、非携帯照合順位リストＣＬＡを更新するようにしても良い。この場合、例えば非携帯照合者が認証された場合よりも加算される頻度上昇値を小さくすることにより、照合順位にカード携帯照合者の認証頻度を反映させつつ、非携帯照合者の照合順位を優先的に高い順位にすることができる。
【０１３０】
さらに上述の実施の形態においては、基準地域グループから３５０［ｋｍ］以下の距離にある地域グループを密接度の高い近距離地域グループとするようにした場合について述べたが、本発明はこれに限らず、距離の値に制限はなく、本発明を適用するシステムや使用形態に応じて適宜選定するようにしても良い。
【０１３１】
さらに上述の実施の形態においては、認証装置２の記憶部２２に照合順位リストＣＬを記憶するようにした場合について述べたが、本発明はこれに限らず、各生体情報取得装置３にそれぞれ記憶するようにしても良い。
【０１３２】
さらに上述の実施の形態においては、認証装置２に対し、複数の地域グループにグループ分けされた複数の生体情報取得装置３が接続され、各地域グループに対応する照合順位グループを有しているようにした場合について述べたが、本発明はこれに限らず、認証装置２は、グループ分けされた照合者に対応する照合順位リストＣＬを有していれば、上述した実施の形態と同様の効果を得ることができ、生体情報取得装置３がグループ分けされる必要はない。また、認証装置２が生体情報取得装置３を有するようにしても同様である。
【０１３３】
さらに上述の実施の形態においては、認証装置２は登録のタイプによって複数のグループにグループ分けされた登録血管画像データが登録された照合順位リストＣＬを有しているようにした場合について述べたが、本発明はこれに限らず、認証装置２に対して複数の地域グループにグループ分けされた複数の生体情報取得装置３が接続され、各地域グループに対応する照合順位リストＣＬを有しているようにすれば、上述した実施の形態と同様の効果を得ることができ、登録血管画像データがグループ分けされる必要はない。
【０１３４】
さらに上述の実施の形態においては、非携帯照合順位リストＣＬＡ及び無カード照合順位リストＣＬＢが一つの照合順位グループとして地域グループごとに記憶されるようにした場合について述べたが、本発明はこれに限らず、非携帯照合順位リストＣＬＡ及びカード無照合順位リストＣＬＢに登録された登録血管画像データの全てが登録された一つの照合順位リストＣＬが地域グループごとに記憶されるようにしても良い。
【０１３５】
さらに上述の実施の形態においては、非携帯照合者の順位を「１」位にして更新するようにした場合について述べたが、本発明はこれに限らず、非携帯照合者の順位を「１」位にして更新する１日限り有効の付加的な照合順位リストと、認証頻度値を用いて長いスパンでの認証頻度を反映させる照合順位リストとを組み合わせ、１日限りの照合順位リストを優先して用いるようにしても良い。
【０１３６】
この場合、照合順位リスト更新処理の際、上述した実施の形態のように１日限りの照合順位リストＣＬでは非携帯照合者の順位を「１」位にして更新し、さらに認証頻度値を用いた照合順位リストでは、頻度上昇値を加算することにより照合順位リストＣＬを更新する。
【０１３７】
すなわち、普段のＩＣカード４の非携帯の度合いに応じた照合順位で照合者を照合すると共に、ＩＣカード４を忘れた非携帯照合者は、一日間非携帯のままであると想定されるため、一度非携帯照合者であることを認識すると、この日には照合順位を優先して照合する。これにより、非携帯照合者の認証処理を格段に短縮することができる。
【０１３８】
さらに上述の実施の形態においては、登録血管画像データをＩＣカード４の配布の有無によってカード保持登録者と無カード登録者とにグループ分けするようにした場合について述べたが、本発明はこれに限らず、例えばシフト管理と結び付け、夜勤グループと日勤グループのように勤務時間でグループ分けしたり、パートタイム勤務者とフルタイム勤務者のように勤務体系でグループ分けしても良い。
【０１３９】
さらに上述の実施の形態においては、予め全ての登録者が非携帯照合順位リストＣＬＡ又は無カード照合順位リストＣＬＢのいずれかに登録されているようにした場合について述べたが、本発明はこれに限らず、予め一部の地域グループに対応する照合順位リストＣＬに地域グループ間を往来する可能性の無い登録者を登録しないようにしても良い。これにより、照合順位リストＣＬに登録される登録者の数を減少させることができ、認証処理に要する時間を短縮することができる。
【０１４０】
さらに上述の実施の形態においては、登録者の種別及び生体情報取得装置３の属する地域グループの２つの観点から照合順位リストＣＬを選択する場合について述べたが、本発明はこれに限らず、１つの観点若しくは３つ以上の観点から照合順位リストＣＬを選択するようにしても良い。
【０１４１】
さらに上述の実施の形態においては、データ入力装置としての生体情報取得装置３を地域グループごとにグループ分けするようにした場合について述べたが、本発明はこれに限らず、部署や業務の関連性によってグループ分けしても良い。また、各生体情報取得装置３をそれぞれ一つのグループとするようにしても良い。
【０１４２】
さらに上述の実施の形態においては、ＩＣカード４からデータＩＤを取得するようにした場合について述べたが、本発明はこれに限らず、生体情報取得装置３が操作入力部を有し、当該操作入力部を介してユーザがデータＩＤを入力するようにしても良い。また、操作入力部とＩＣカード４とを併用するようにしても良い。また、記録媒体としてはＩＣカード４に限らず、例えば紙でなるカードにデータＩＤを印刷するようにしても良い。
【０１４３】
ユーザ（照合者）が操作入力部を介してデータＩＤを入力する場合、照合者がデータＩＤを誤入力することが考えられる。従って、認証装置２の制御部２０は、データＩＤに応じた登録血管画像データと照合者の照合者血管画像データとが合致しない場合には、照合者が非携帯照合者であると判断し、非携帯照合順位リストＣＬＡを用いて認証処理を実行する。これにより、照合者がデータＩＤを誤入力した場合でも、スムーズに照合者を登録者として認証することができ、登録者にも拘わらず認証非成立となることを防止できるため、当該照合者を苛立たせることがない。
【０１４４】
さらに上述の実施の形態においては、サーバとなる認証装置２に登録者血管画像データ及び照合順位リストＣＬを有するようにした場合について述べたが、本発明はこれに限らず、例えば各生体情報取得装置３が登録者血管画像データ及び照合順位リストＣＬを有するようにしても良い。
【０１４５】
この場合、各生体情報取得装置３は、ユーザとして登録された全登録者に対する登録血管画像データと、自己が使用する照合順位リストＣＬ（例えば、ＴＫ本社に設置された生体情報取得装置３ＴｂならばＴＫ本社用の非携帯照合順位リストＣＬＡｔ及び無カード照合順位リストＣＬＢｔ）とをそれぞれ有するようにする。
【０１４６】
生体情報取得装置３の制御部１０は、認証処理手順ＲＴ２に従って認証処理を実行し、自己が属する地域グループ及び近距離グループの全ての生体情報取得装置３に対して照合順位の変更要求を供給することにより、自己が属する地域グループにおける照合順位を変更させるようにする。この場合には、認証装置２は不要となる。
【０１４７】
また、生体情報取得装置３は、認証処理手順ＲＴ２に従って認証処理を実行すると共に、生体情報取得装置３が認証装置２に対して認証結果を供給するようにし、認証装置２が地域グループ及び近距離グループに対して照合順位を変更させるようにもできる。この場合には、認証装置２は、認証結果に基づいて認証結果を送出した生体情報取得装置３が属する地域グループ及び近距離グループの各生体情報取得装置３に対して変更要求の送出を実行することにより照合順位を各生体情報取得装置３に変更させる処理だけを実行するようにする。
【０１４８】
さらに上述の実施の形態においては、入退出するユーザを管理する管理システムに本発明を適用するようにした場合について述べたが、本発明はこれに限らず、例えば認証された照合者にのみネットワークへのアクセスを許可するネットワーク管理システムなど、認証処理を用いる種々のシステムに適用するようにしても良い。
【０１４９】
さらに上述の実施の形態においては、ユーザの生体識別情報としてユーザの指の血管から取得される血管画像データを用いるようにした場合について述べたが、本発明はこれに限らず、生体識別情報としては、指紋、口紋、虹彩及び声紋など種々の生体識別対象から取得される画像データ及び音声データなどを使用するようにしても良い。
【０１５０】
さらに上述の実施の形態においては、登録者識別データとして生体識別情報を用いるようにした場合について述べたが、本発明はこれに限らず、例えば暗証番号やユーザの個人情報など、ユーザに固有の各種識別情報を用いるようにしても良い。
【０１５１】
さらに上述の実施の形態においては、記憶部としての記憶部２２と、選択部としての制御部２０と、照合部としての制御部２０及び照合部２４とによって照合装置としての認証装置２を構成するようにした場合について述べたが、本発明はこれに限らず、その他種々の構成による記憶部と、選択部と、照合部とによって本発明の照合装置を構成するようにしても良い。
【産業上の利用可能性】
【０１５２】
本発明の照合装置、照合方法及び照合プログラムは、例えばネットワークを介して認証されたユーザにのみ使用を許可する各種認証システムに利用することができる。
【図面の簡単な説明】
【０１５３】
【図１】入退出者管理システムを示す略線図である。
【図２】生体情報取得装置の構成を示す略線的ブロック図である。
【図３】認証装置の構成を示す略線的ブロック図である。
【図４】登録者情報管理データベースを示す略線図である。
【図５】生体情報取得装置のグループ分けを示す略線図である。
【図６】照合順位リストを示す略線図である。
【図７】地域グループ間の距離と連動との関係の説明に供する略線図である。
【図８】照合順位リストの更新処理の説明に供する略線図である。
【図９】生体情報取得装置による認証仲介処理手順の説明に供するフローチャートである。
【図１０】認証装置による認証処理手順の説明に供するフローチャートである。
【図１１】他の実施の形態による距離に応じた重み付けの説明に供する略線図である。
【符号の説明】
【０１５４】
１……入退出者管理システム、２……認証装置、３、３Ｔ、３Ｙ、３Ｎ、３Ｏ……生体情報取得装置、２０……制御部、２１……バス、２２……記憶部、２３……外部インターフェース、２４……照合部、２５……照合順位更新部、ＤＢ……登録者情報管理データベース、ＧＬ……グループ管理リスト、ＣＬ……照合順位リスト、ＣＬＡ……非携帯照合順位リスト、ＣＬＢ……無カード照合順位リスト。
【図１】
2008129798.tif 000003
【図２】
2008129798.tif 000004
【図３】
2008129798.tif 000005
【図４】
2008129798.tif 000006
【図５】
2008129798.tif 000007
【図６】
2008129798.tif 000008
【図７】
2008129798.tif 000009
【図８】
2008129798.tif 000010
【図１１】
2008129798.tif 000011
【図９】
2008129798.tif 000012
【図１０】
2008129798.tif 000013